(57)【要約】【課題】  冷却口からの異物の侵入によるブロアモータの動作不良を防止することが可能な冷却口装着部材及びこの冷却口装着部材を備えたブロアモータを提供すること。【解決手段】  本発明に係る冷却口装着部材２０は、外気を導入するための冷却口３７が周壁面に形成されたヨークハウジング２２に対して、回転軸２８の端部にファン２９が固定されたロータ２４を回転軸２８を介して回転自在に内設し、ロータ２４を回転させることによってファン２９による送風を行うブロアモータ２１に装着される。冷却口装着部材２０は、冷却口３７の開口縁部に着脱可能に係合する係合部４４を有する装着基部４１と、装着基部４０に立設されて開口に連通する連通孔５１が形成された連通部４１と、連通部４１の端部に固定されて連通孔５１の連通開口４２ａにフィルタ５０を取り付けるフィルタ取付部４２とを備える。【選択図】  図１ 
2005333730.tif 000002
【特許請求の範囲】
【請求項１】
外気を導入するための冷却口が周壁面に形成されたヨークハウジングに対して、回転軸の端部にファンが固定されたロータを前記回転軸を介して回転自在に内設し、該ロータを回転させることによって前記ファンによる送風を行うブロアモータに装着される冷却口装着部材であって、
前記冷却口の開口縁部に着脱可能に係合する係合部を有する装着基部と、
該装着基部に立設されて前記開口に連通する連通孔が形成された連通部と、
該連通部の端部に固定されて前記連通孔の連通開口にフィルタを取り付けるフィルタ取付部と
を備えることを特徴とする冷却口装着部材。
【請求項２】
前記連通孔の内壁面は、前記ヨークハウジング内に導入される外気の導入方向を規定する傾斜面によって構成されることを特徴とする請求項１に記載の冷却口装着部材。
【請求項３】
前記フィルタ取付部は、前記連通孔の連通開口が形成される取付基部と、
前記連通開口の周縁部とで前記フィルタを挟持するフィルタ固定枠と
を有することを特徴とする請求項１又は請求項２に記載の冷却口装着部材。
【請求項４】
請求項１乃至請求項３のいずれか１項に記載された冷却口装着部材を備えることを特徴とするブロアモータ。
【発明の詳細な説明】
【技術分野】
【０００１】
本発明は、外気を導入するための冷却口が周壁面に形成されたヨークハウジングに対して、回転軸の端部にファンが固定されたロータを前記回転軸を介して回転自在に内設し、該ロータを回転させることによって前記ファンによる送風を行うブロアモータに装着される冷却口装着部材及び該冷却口装着部材を備えたブロアモータに関する。
【背景技術】
【０００２】
図４は、一般的な車両用空調装置に用いられているブロアモータを示した図である。ブロアモータ１は、略円柱形状を呈するヨークハウジング２と、ヨークハウジング２の内周壁面に固定される一対の永久磁石３と、ヨークハウジング２の中心に回転軸８を介して回転自在に設けられるロータ４と、ロータ４に設けられるコイル５への通電を行うブラシボックス６と、ヨークハウジング２の開口部２ａを覆うとエンドフレーム７と、回転軸８の端部に固定されるファン９とを備えている。
【０００３】
ロータ４は、薄鉄板が積層された電子機鉄心１０とこの電子機鉄心１０の周りに巻かれたコイル５とを備えており、回転軸８にはコイル５に対する通電を行う整流子１２が設けられている。ブラシボックス６は、回転軸８を挟んで一対に設けられており、ブラシボックス６には回転軸８方向に付勢されて整流子１２に圧接するブラシ１３が収納されている。ブラシボックス６へ供給される電流がブラシ１３、整流子１２を介してコイル５に流れる構造となっている。      
【０００４】
エンドフレーム７の中心とヨークハウジング２の中心とには、回転軸８を回転可能に軸支する軸受け部１４、１５が形成されており、エンドフレーム７には回転軸８の端部が貫通する貫通孔７ａが形成されている。ファン９は、貫通孔７ａからエンドフレーム７の外部へ突出した回転軸８の端部に固定される。
【０００５】
ロータ４のコイル５に電流が流れると、一対の永久磁石３により生ずる磁界の影響を受けてロータ４が回転し、ロータ４の回転に伴って回転軸８の端部に固定されるファン９が回転して送風が開始される。
【０００６】
ヨークハウジング２の周面下部には、ロータ４の回転によるヨークハウジング２内の温度上昇を抑えるために正面視長方形状の冷却口１７が形成されており、この冷却口１７には、図５に示すように、格子状開口１８ａが形成されたゴム栓１８が嵌め込まれている。ロータ４が回転すると、この格子状開口１８ａを介して外部の吸気がヨークハウジング２内に導入されて、ブロアモータ１の冷却が行われる。（例えば、特許文献１参照。）。
【特許文献１】特開平５−３０８７５３号公報
【発明の開示】
【発明が解決しようとする課題】
【０００７】
しかしながら、従来のゴム栓１８では、格子状開口１８ａを介して異物がヨークハウジング内に侵入してブラシ１３と整流子１２との接触不良を招き、ブロアモータ１の動作不良が発生するおそれがあるという問題があった。
【０００８】
本発明は、上記問題に鑑みてなされたものであり、冷却口からの異物の侵入によるブロアモータの動作不良を防止することが可能な冷却口装着部材及びこの冷却口装着部材備えたブロアモータを提供することを課題とする。
【課題を解決するための手段】
【０００９】
上記課題を解決するために、本発明に係る冷却口装着部材は、外気を導入するための冷却口が周壁面に形成されたヨークハウジングに対して、回転軸の端部にファンが固定されたロータを前記回転軸を介して回転自在に内設し、該ロータを回転させることによって前記ファンによる送風を行うブロアモータに装着される冷却口装着部材であって、前記冷却口の開口縁部に着脱可能に係合する係合部を有する装着基部と、該装着基部に立設されて前記開口に連通する連通孔が形成された連通部と、該連通部の端部に固定されて前記連通孔の連通開口にフィルタを取り付けるフィルタ取付部とを備えている。
【００１０】
また、前記連通孔の内壁面は、前記ヨークハウジング内に導入される外気の導入方向を規定する傾斜面によって構成され、さらに、前記フィルタ取付部は、前記連通孔の連通開口が形成される取付基部と、前記連通開口の周縁部とで前記フィルタを挟持するフィルタ固定枠とを有している。
【００１１】
また、本発明は上述した冷却口装着部材を備えたブロアモータであることを特徴とする。
【発明の効果】
【００１２】
本発明によれば、前記連通開口にフィルタが取り付けられるので該連通開口を通って異物がヨークハウジング内に侵入しにくくなり、ブラシと整流子との接触不良によるブロアモータの動作不良を防止することが可能となる。
【００１３】
また、ヨークハウジング自体に特別な加工をすることなく、冷却口に取り付けられていたゴム栓を引き抜いて、装着基部の係合部を冷却口の側縁部に係合することによって冷却口設置部材をヨークハウジングに容易に取り付けることができる。
【００１４】
さらに、係合部が着脱可能に冷却口に係合されるので、冷却口設置部材を冷却口から簡単に取り外すことができ、冷却口設置部材の交換を容易に行うことが可能となる。
【００１５】
また、内壁面がヨークハウジング内に導入される外気の導入方向を規定する傾斜面によって構成されているので、外部空気の導入方向を変更・調整することにより、導入された空気をヨークハウジング内の狙った場所に直接当てることが可能となる。
【００１６】
本発明によれば、取付基部に形成される連通開口の周縁部とフィルタ固定枠とでフィルタを挟持することにより、フィルタが連通開口を覆うようにして取り付けられるので、フィルタの着脱・交換が容易になる。さらに、フィルタ固定枠の枠内に配設されるフィルタをフィルタ固定枠の枠窓を通して確認することによって、フィルタが適切な位置に設置されているかを容易に確認できるとともに、フィルタの汚れ具合を容易に判断することができる。
【発明を実施するための最良の形態】
【００１７】
以下、本発明に係る冷却口装着部材を備えたフロアモータを、図面を用いて詳細に説明する。
【００１８】
図１に示すように、冷却口装着部材２０を備えたブロアモータ２１は、略円柱形状を呈するヨークハウジング２２と、ヨークハウジング２２の内周壁面に固定される一対の永久磁石２３と、ヨークハウジング２２の中心に回転軸２８を介して回転自在に設けられるロータ２４と、ロータ２４に設けられるコイル２５への通電を行うブラシボックス２６と、ヨークハウジング２２の開口部２２ａを覆うとエンドフレーム２７と、回転軸２８の端部に固定されるファン２９とを備えている。
【００１９】
ロータ２４は、薄鉄板が積層された電子機鉄心３０とこの電子機鉄心３０の周りに巻かれたコイル２５とを備えており、回転軸２８にはコイル２５に対する通電を行う整流子３２が設けられている。ブラシボックス２６は、回転軸２８を挟んで一対に設けられており、ブラシボックス２６には回転軸２８方向に付勢されて整流子３２に圧接するブラシ３３が収納されている。ブラシボックス２６へ供給される電流がブラシ３３、整流子３２を介してコイル２５に流れる構造となっている。
【００２０】
エンドフレーム２７の中心とヨークハウジング２２の中心とには、回転軸２８を回転可能に軸支するための軸受け部３４、３５が形成されており、エンドフレーム２７には回転軸２８の端部が貫通する貫通孔２７ａが形成されている。ファン２９は、貫通孔２７ａからエンドフレーム２７の外部へ突出した回転軸２８の端部に固定される。
【００２１】
ロータ２４のコイル２５に電流が流れると、一対の永久磁石２３により生ずる磁界の影響を受けてロータ２４が回転し、ロータ２４の回転に伴って回転軸２８の端部に固定されるファン２９が回転して送風が開始される。
【００２２】
ヨークハウジング２２の周面下部には、ロータ２４の回転によるヨークハウジング２２内の温度上昇を抑えるために正面視長方形状の冷却口３７が形成されている。冷却口３７には、図２に示すように、冷却口装着部材２０が取り付けられている。
【００２３】
図３（ａ）は、冷却口装着部材２０の縦断面図を示し、図３（ｂ）は、冷却口装着部材２０の横断面を示している。冷却口装着部材２０は、ヨークハウジング２２の周面に沿うように緩やかに湾曲した基部４０と、基部４０に立設された円筒部（連通部）４１と、円筒部４１先端に形成されるボックス部４２とが一体に形成されており、ボックス部４２前面に形成される開口４２ａとヨークハウジング２２の内部とは、円筒部４１を介して連通されている。
【００２４】
基部４０には、冷却口３７の側縁部に係合する一対の係合突起（係合部）４４、４４が形成されており、係合突起４４を側縁部に係合させることによって冷却口装着部材２０が冷却口３７に係止される。
【００２５】
ボックス部４２の開口４２ａには額縁形状を呈するフィルタ固定枠４５が開口４２ａの右端縁部に揺動可能に取り付けられており、フィルタ固定枠４５の左端部には、ボックス部４２の端部に形成される非係止部４６に係合して、フィルタ固定枠４５の揺動を規制する係止部４７が形成されている。ボックス部４２の開口４２ａには、図３（ａ）（ｂ）に示すように、開口４２ａ縁部とフィルタ固定枠４５とによって挟持されたフィルタ５０が設置される。
【００２６】
円筒部４１の内通路５１は、図３（ａ）に示すように、下面５１ａが上方に向かって傾斜された曲面によって構成されており、ボックス部４２の開口４２ａから内通路５１を通ってヨークハウジング２２内に導入される空気は、傾斜された下面５１ａに沿ってヨークハウジング２２の上方に導かれる。
【００２７】
このようにして形成される冷却口装着部材２０のボックス部４２にフィルタ５０を装着し、係合突起４４を冷却口３７に装着してロータ２４を回転させると、ロータ２４の回転に伴って外気がボックス部４２の開口４２ａから円筒部４１の内通路５１を通ってヨークハウジング２の上方へ導入される。このとき、ボックス部４２にフィルタ５０が装着されているので、フィルタ５０により異物がヨークハウジング２２内に侵入しにくくなる。さらに、フィルタ５０を通って微細な異物がヨークハウジング２２内に導入された場合であっても、円筒部４１の内通路５１の傾斜面（下面５１ａ）に沿って、ヨークハウジング２の上方へと導入外気が導かれるので、ヨークハウジング２２の下方に設置されるブラシ３３及び整流子３２には異物が溜まりにくくなり、ブラシ３３と整流子３２との接触不良によるブロアモータ２１の動作不良を防止することが可能となる。
【００２８】
さらに、本発明に係る冷却口設置部材２０を用いることによって、ヨークハウジング２２自体に特別な加工をすることなく、従来より使用されていたゴム栓１８をペンチ等でつまんで引き抜き、基部４０の係合突起４４、４４が冷却口３７の側縁部に係合するようにして冷却口設置部材２０を冷却口３７に差し込むこむことによって、冷却口設置部材３７を取り付けることができる。
【００２９】
また、開口４２ａ縁部とフィルタ固定枠４５との間にフィルタ５０を配置し、フィルタ固定部４５の係止部４７をボックス部４２の非係止部４６に係止させることによってフィルタ５０がボックス部４２の開口４２ａを覆うようにして取り付けられるので、フィルタ５０の交換が容易になる。さらに、フィルタ固定枠４５の枠内に配設されるフィルタ５０をフィルタ固定枠４５の枠窓を通して確認することによって、フィルタ５０が適切な位置に設置されているかを容易に確認できるとともに、フィルタ５０の汚れ具合を容易に判断することができる。また、フィルタ５０だけを冷却口設置部材２０から取り外して交換することができるので、コストの低減を図ることが可能となる。
【００３０】
なお、本発明に係る冷却口装着装置２０は上述したものに限定されるものではない。例えば、上述した実施例においては、筒部４１の内通路５１の下面５１ａが上方に向かって傾斜された曲面によって構成されている例を示したが、必ずしも内通路５１の下面５１ａが上方に向かって傾斜している必要はなく、内通路５１の傾斜方向を調整することによって外部空気が導入される方向を変更・調整することが可能である。内通路５１の傾斜方向を調整し、外部空気の導入方向を変更・調整することによって、導入された空気を狙った場所に直接当てることが可能となる。
【図面の簡単な説明】
【００３１】
【図１】本発明に係る冷却口装着部材を備えたブロアモータを示す部分断面図である。
【図２】ブロアモータの冷却口に取り付けられた冷却口装着部材を示す拡大斜視図である。
【図３】冷却口装着部材を示す断面図であって、（ａ）は縦断面図を示し、（ｂ）は横断面図を示している。
【図４】ゴム栓を備えたブロアモータを示す部分断面図である。
【図５】ブロアモータの冷却口に取り付けられたゴム栓を示す拡大斜視図である。
【符号の説明】
【００３２】
１、２１  ブロアモータ
２、２２  ヨークハウジング
４、２４  ロータ
９、２９  ファン
１７、３７  冷却口
２０  冷却口装着部材
４０  基部（装着基部）
４１  円筒部（連通部）
４２  ボックス部（取付基部、フィルタ取付部）
４２ａ  開口（連通開口）
４４  係合突起（係合部）
４５  フィルタ固定枠（フィルタ固定枠、フィルタ取付部）
５１  内通路（連通孔）
５１ａ  下面
【図１】
2005333730.tif 000003
【図２】
2005333730.tif 000004
【図３】
2005333730.tif 000005
【図４】
2005333730.tif 000006
【図５】
2005333730.tif 000007